(57)【特許請求の範囲】
【請求項１】
パネルの開口部に配置された第１コネクタと、
補機支持部を有すると共に、前記パネルの開口部を覆うように、該パネルの内側からパネルに固定される補機用ブラケットと、
前記補機用ブラケットに装着され、該補機用ブラケットを前記パネルに固定する際の動作に伴って前記第１コネクタに嵌合接続される第２コネクタと、
を備え、
前記補機用ブラケットの一端側に、前記パネルの開口部の周縁に引っ掛けることができ、その引っ掛けた箇所を回動支点にして、前記補機用ブラケットをパネルに対し斜めの姿勢からパネルに対し平行な姿勢となるまで回動できるようにする外向きＬ形のフックが設けられると共に、
前記補機用ブラケットの他端側に、前記パネルに平行な姿勢となるまで前記補機用ブラケットを回動させた状態で、前記パネルに対して補機用ブラケットを本固定する本固定部が設けられており、
さらに、前記補機用ブラケットをパネルに対し平行な姿勢となるまで回動させて前記第１コネクタに対し前記第２コネクタを完全に嵌合接続させた際に、その状態で前記補機用ブラケットを第１コネクタによって仮保持する仮保持手段を備えたコネクタを備えた補機用ブラケットの固定構造において、
前記補機用ブラケットと前記第２コネクタとの間に、前記補機用ブラケットがパネルに対し斜めの姿勢からパネルに対し平行な姿勢となるまで回動する際に、前記第２コネクタの挿入方向を前記第１コネクタの挿入方向に整合させる挿入方向整合手段と、
前記補機用ブラケットがパネルに対し斜めの姿勢からパネルに対し平行な姿勢となるまでの間、前記第２コネクタを仮係止位置に係止する仮係止手段と、
前記補機用ブラケットがパネルに対し平行な姿勢となるまで回動したとき、前記第２コネクタを本係止位置に係止する本係止手段と、が設けられ、
前記補機用ブラケットが前記パネルに対し平行な姿勢となるまで回動したとき、前記本係止位置に係止された前記第１コネクタに対し前記第２コネクタを完全に嵌合接続としたことを特徴とするコネクタを備えた補機用ブラケットの固定構造。
【請求項２】
前記仮保持手段は、前記第１コネクタと前記補機用ブラケットとの間に設けられていることを特徴とする請求項１に記載のコネクタを備えた補機用ブラケットの固定構造。
【請求項３】
前記補機用ブラケットが前記パネルに対し斜めの姿勢からパネルに対し平行な姿勢となるまで回動したとき、前記仮係止手段による仮係止の状態を解除して前記本係止手段による本係止の状態に移行させる仮係止解除手段が、前記第１コネクタに設けられていることを特徴とする請求項１または２に記載のコネクタを備えた補機用ブラケットの固定構造。
【発明の詳細な説明】
【技術分野】
【０００１】
本発明は、コネクタを備えた補機用ブラケットの固定構造に係り、例えば、バニティーミラー用のランプを備えたサンバイザ（補機）を車体パネル（天井部インナーパネル）に取り付けるに当たり、サンバイザを支持する補機用ブラケットを、コネクタを嵌合させながら、車体パネルに固定するための補機用ブラケットの固定構造に関するものである。
【背景技術】
【０００２】
自動車の運転席または助手席のフロントウインドウ上端近傍に配置されるサンバイザには、夜間でも使用できるようにバニティーミラー用のランプを備えたものがある。このようなランプを備えたサンバイザは、インナーパネルに形成された穴部によりコネクタ同士を結合させて取り付けられる。例えば、図１２に示す特許文献１に開示のブラケット結合構造では、雄コネクタ部５０１を有するパネル側ブラケット５０３と、雌コネクタ部５０５を有しかつサンバイザ５０７が支持されたバイザ側ブラケット５０９とをコネクタ５０１、５０５同士を嵌合すると共に、ブラケット５０３、５０９同士を組み付けてリーンフォース５１１にサンバイザ５０７を固定している。
【０００３】
バイザ側ブラケット５０９に、雌コネクタ部５０５の高さよりも高い係合突起５１３を突設し、パネル側ブラケット５０３に被係合部５１５を設け、雄コネクタ部５０１と雌コネクタ部５０５との嵌合に先駆けて、係合突起５１３が被係合部５１５に案内されて嵌合するようにしている。リーンフォース５１１には、パネル側ブラケット５０３の取付孔５１７、５１７に対応する位置に取付孔５１９、５１９が開設され、バイザ側ブラケット５０９は取付孔５２１、５２１が設けられている。取付孔５１９、５１７、５２１に挿通するスクリュウグロメットが形成された図示しないブラケットをサンバイザブラケットの下側から装着し、スクリュウグロメットが取付孔５２１、５２１を挿通した状態でビス５２３をスクリュウグロメットに螺着することで、サンバイザ５０７がリーンフォース５１１に固定される。バイザ側ブラケット５０９は、開口部５２５ａの形成される内装材であるトリム５２５を挟んで、パネル側ブラケット５０３とは反対側に配置されている。
【０００４】
このブラケット結合構造によれば、雄コネクタ部５０１と雌コネクタ部５０５との嵌合に先駆けて、係合突起５１３が被係合部５１５に案内されて嵌合することで、両ブラケット同士が適正に位置決め（調芯）されるため、雄コネクタ部５０１と雌コネクタ部５０５とが位置ずれを起こすことなく円滑かつ確実に嵌合するよう構成されている。
【先行技術文献】
【特許文献】
【０００５】
【特許文献１】特開２００２−１９２９４９号公報
【発明の概要】
【発明が解決しようとする課題】
【０００６】
しかし、保持のなされていないバイザ側ブラケット５０９を不図示のスクリュウグロメットを介して２本のビス５２３、５２３で固定することは、上向き作業であることも相俟って組付け作業が困難であった。また、係合突起５１３を被係合部５１５に案内させるための嵌合狙い作業が容易でなく、端子にどつきによる変形が生じれば信頼性が高まらない。
【０００７】
そこで、本出願人は、組付けが容易で、高い組付け信頼性が得られる補機用ブラケットの固定構造を先行発明として発明した。以下、その内容を説明する。
図１３は補機用ブラケット側の構成を示す斜視図、図１４〜図１６は、補機用ブラケットを車体側のパネル（インナーパネル）に取り付けるまでの手順を説明するための側断面図である。
【０００８】
この補機用ブラケットの固定構造は、図１４に示すように、パネル６０１の開口部に配置された第１コネクタ（メスコネクタ）６０２と、補機支持部を有すると共に、パネル６０１の開口部を覆うように、パネル６０１の内側からパネル６０１に固定される補機用ブラケット６０５と、この補機用ブラケット６０５に装着され、該補機用ブラケット６０５をパネル６０１に固定する際の動作に伴って第１コネクタ６０２に嵌合接続される第２コネクタ（オスコネクタ）６０４と、を備えて構成される。
【０００９】
第１コネクタ６０２には、実際にコネクタの役割をする第１コネクタ本体部６２１が設けられ、この第１コネクタ本体部６２１のハウジングの内部に第１端子（オス端子）が装着されている。第２コネクタ６０４には、実際にコネクタの役割をする第２コネクタ本体部６４１が設けられ、この第２コネクタ本体部６４１のハウジングの内部に第２端子（メス端子）が装着されている。第１コネクタ本体部６２１の接続用開口は下向きに配され、第２コネクタ本体部６４１の接続用開口は上向きに配されている。
【００１０】
また、パネル６０１の車室内側には、パネル６０１の開口部に対応した開口部を有するトリム６０３が設けられており、補機用ブラケット６０５は、このトリム６０３の車室内側に配される。
【００１１】
図１３および図１４に示すように、補機用ブラケット６０５の一端側には、パネル６０１の開口部の周縁に引っ掛けることができ、その引っ掛けた箇所を回動支点にして、補機用ブラケット６０５をパネル６０１に対して斜めの姿勢（図１４参照）からパネル６０１に対して平行な姿勢（図１５参照）となるまで、図１４中の矢印Ｆのように回動できるようにする外向きＬ形のフック６５２が設けられている。また、フック６５２と反対側の補機用ブラケット６０５の他端側には、フック６５２をパネル６０１の開口部の周縁に引っ掛けて、パネル６０１に平行な姿勢となるまで補機用ブラケット６０５を回動させた状態で、パネル６０１に対して補機用ブラケット６０５を本固定するための本固定部としての取付孔６５３ａ（図１３参照）が設けられている。取付孔６５３ａは凸部６５３に形成されている。図１６に示すように、この取付孔６５３ａにビス６０８を通して、パネル６０１側に設けたネジ孔部６０７にビス６０８を締め込むことにより、補機用ブラケット６０５をパネル６０１に本固定することができる。
【００１２】
また、補機用ブラケット６０５と第２コネクタ６０４との間には、補機用ブラケット６０５がパネル６０１に対し斜めの姿勢からパネル６０１に対し平行な姿勢となるまで回動される際に、第２コネクタ６０４の挿入方向を第１コネクタ６０２の挿入方向に整合させるための挿入方向整合手段が設けられている。この挿入方向整合手段は、補機用ブラケット６０５に設けられた一対の枠形の係合部６５４と、第２コネクタ６０４に設けられて、前記係合部６５４に嵌まる一対の係合ピン６４２とから構成されている。そして、係合部に６５４に係合ピン６４２を係合させることにより、第２コネクタ６０４は補機用ブラケット６０５に対して、フック６５２に接近する方向と離間する方向にわずかに移動可能な状態で回動可能に装着される。
【００１３】
また、補機用ブラケット６０５と第２コネクタ６０４との間には、補機用ブラケット６０５がパネル６０１に対し斜めの姿勢からパネル６０１に対し平行な姿勢となるまでの間、第２コネクタ６０４を補機用ブラケット６０５に対して、わずかに傾斜した姿勢の仮係止位置（図１４に示す位置）に係止する仮係止手段と、補機用ブラケット６０５がパネル６０１に対し平行な姿勢となるまで回動したとき、第２コネクタ６０４を本係止位置（図１５に示す位置）に係止する本係止手段と、が設けられている。
【００１４】
この場合、仮係止手段は、図１４に示すように、第２コネクタ６０４側に設けられた係合突起６４４と、補機用ブラケット６０５側に設けられたロック部６５７の上側の係合凹部６５７ａとで構成され、本係止手段は、図１５に示すように、第２コネクタ６０４側に設けられた係合突起６４４と、補機用ブラケット６０５側に設けられたロック部６５７の下側の係合凹部６５７ｂとで構成されている。上側の係合凹部６５７ａと係合突起６４４とが係合した仮係止状態から、下側の係合凹部６５７ｂと係合突起６４４とが係合する本係止状態への移行は、例えば、補機用ブラケット６０５を取付位置まで回動させることで、自動的に行うことができる。
【００１５】
この第２コネクタ６０４が装着された補機用ブラケット６０５を、開口部に第１コネクタ６０２が配置されたパネル６０１に固定する場合は、次のように作業を行う。
【００１６】
まず、図１４に示すように、第２コネクタ６０４の係合ピン６４２を補機用ブラケット６０５の係合部６５４に係合させ、第２コネクタ６０４の係合突起６４４を補機用ブラケット６０５のロック部６５７の上側の係合凹部６５７ａに係合させ、補機用ブラケット６０５に対して第２コネクタ６０４を仮係止位置に保持する。この状態で、フック６５２の先端部をパネル６０１の開口部からパネル６０１の裏側まで挿入して、フック６５２の曲がり部の内側を、パネル６０１の開口部の周縁に係合させる。
【００１７】
次に、この状態で補機用ブラケット６０５を矢印Ｆのようにパネル６０１側に回動させる。図１５に示すように、補機用ブラケット６０５をパネル６０１に対して平行となる位置まで回動させると、第２コネクタ６０４の係合突起６４４が補機用ブラケット６０５のロック部６５７の上側の係合凹部６５７ａから外れて、下側の係合凹部６５７ｂに係合し、これにより、補機用ブラケット６０５に対して第２コネクタ６０４が本係止される。
【００１８】
この状態で、図１６に示すように、ビス６０８を補機用ブラケット６０５の取付孔６５３ａを通して、パネル６０１のネジ孔部６０７に締め込むことで、コネクタ６０２、６０４同士を嵌合させた状態で、補機用ブラケット６０５をパネル６０１に固定することができる。
【００１９】
ところで、この固定構造では、ビス６０８で補機用ブラケット６０５を本固定する前の段階において、補機用ブラケット６０５が第２コネクタ６０４に保持されているだけであるので、ビス止め作業中や作業前にサンバイザの重みによって、第２コネクタ６０４が第１コネクタ６０２から抜けて、補機用ブラケット６０５が脱落してしまうおそれがあった。従って、ビス止め作業中に常にサンバイザを手で支えていなくてはならず、作業性が悪かった。
【００２０】
本発明は、上記事情を考慮してなされたもので、補機用ブラケットを本固定する前に本固定するべき位置に仮保持しておくことができ、それにより、補機用ブラケットの本固定作業（例えば、ビスで補機用ブラケットを固定する作業）の容易化が図れるようにした、コネクタを備えた補機用ブラケットの固定構造を提供することを目的とする。
【課題を解決するための手段】
【００２１】
前述した目的を達成するために、本発明に係るコネクタを備えた補機用ブラケットの固定構造は、下記（１）〜（３）を特徴としている。
（１）  パネルの開口部に配置された第１コネクタと、
補機支持部を有すると共に、前記パネルの開口部を覆うように、該パネルの内側からパネルに固定される補機用ブラケットと、
前記補機用ブラケットに装着され、該補機用ブラケットを前記パネルに固定する際の動作に伴って前記第１コネクタに嵌合接続される第２コネクタと、
を備え、
前記補機用ブラケットの一端側に、前記パネルの開口部の周縁に引っ掛けることができ、その引っ掛けた箇所を回動支点にして、前記補機用ブラケットをパネルに対し斜めの姿勢からパネルに対し平行な姿勢となるまで回動できるようにする外向きＬ形のフックが設けられると共に、
前記補機用ブラケットの他端側に、前記パネルに平行な姿勢となるまで前記補機用ブラケットを回動させた状態で、前記パネルに対して補機用ブラケットを本固定する本固定部が設けられており、
さらに、前記補機用ブラケットをパネルに対し平行な姿勢となるまで回動させて前記第１コネクタに対し前記第２コネクタを完全に嵌合接続させた際に、その状態で前記補機用ブラケットを第１コネクタによって仮保持する仮保持手段を備えたコネクタを備えた補機用ブラケットの固定構造において、
前記補機用ブラケットと前記第２コネクタとの間に、前記補機用ブラケットがパネルに対し斜めの姿勢からパネルに対し平行な姿勢となるまで回動する際に、前記第２コネクタの挿入方向を前記第１コネクタの挿入方向に整合させる挿入方向整合手段と、
前記補機用ブラケットがパネルに対し斜めの姿勢からパネルに対し平行な姿勢となるまでの間、前記第２コネクタを仮係止位置に係止する仮係止手段と、
前記補機用ブラケットがパネルに対し平行な姿勢となるまで回動したとき、前記第２コネクタを本係止位置に係止する本係止手段と、が設けられ、
前記補機用ブラケットが前記パネルに対し平行な姿勢となるまで回動したとき、前記本係止位置に係止された前記第１コネクタに対し前記第２コネクタを完全に嵌合接続としたこと。
（２） 上記（１）の構成の固定構造において、前記仮保持手段は、前記第１コネクタと前記補機用ブラケットとの間に設けられていること。
（３） 上記（１）または（２）の構成の固定構造において、前記補機用ブラケットが前記パネルに対し斜めの姿勢からパネルに対し平行な姿勢となるまで回動したとき、前記仮係止手段による仮係止の状態を解除して前記本係止手段による本係止の状態に移行させる仮係止解除手段が、前記第１コネクタに設けられていること。
【００２２】
上記（１）の構成の固定構造によれば、補機用ブラケットのフックをパネルの開口部の周縁に引っ掛け、補機用ブラケットをパネルに対し斜めの姿勢からパネルに対し平行な姿勢となるまで回動させて、第２コネクタを第１コネクタに嵌合接続させた状態で、補機用ブラケットの本固定部をパネルに本固定するとき、補機用ブラケットを仮保持手段によってその状態に保持しておくことができるので、本固定作業（例えば、ビスで補機用ブラケットを固定する作業）を安定して行うことができ、補機用ブラケットの取付作業性の向上が図れる。
また、第２コネクタの挿入方向を第１コネクタの挿入方向に整合させることができるので、コネクタ同士の嵌合をスムーズに行うことができる。
上記（２）の構成の固定構造によれば、仮保持手段を、第１コネクタと第２コネクタとの間に設けるのではなく、第１コネクタと補機用ブラケットとの間に設け、補機用ブラケットを直接第１コネクタによって保持するようにしているので、補機用ブラケットの仮保持を安定して行うことができる。
上記（３）の構成の固定構造によれば、仮係止解除手段が第１コネクタに設けられているので、補機用ブラケットが回動するだけで、係合が補機用ブラケット側から外れるようになる。
【発明の効果】
【００２３】
本発明によれば、補機用ブラケットを本固定する前に補機用ブラケットを本固定できる状態に仮保持しておくことができ、それにより、補機用ブラケットの本固定作業（例えば、ビスで補機用ブラケットを固定する作業）の容易化が可能であり、取付作業性の向上が図れる。
【００２４】
以上、本発明について簡潔に説明した。更に、以下に説明される発明を実施するための形態を添付の図面を参照して通読することにより、本発明の詳細は更に明確化されるであろう。
【図面の簡単な説明】
【００２５】
【図１】本発明の実施形態の補機用ブラケットの固定構造の分解斜視図である。
【図２】実施形態の固定構造に使用する第２コネクタの外観斜視図である。
【図３】実施形態の固定構造に使用する補機用ブラケットの外観斜視図である。
【図４】実施形態の固定構造に使用する第１コネクタの構成図であって、（ａ）は全体構成を示す外観斜視図、（ｂ）はその一部を破断した部分拡大図である。
【図５】補機用ブラケットに第２コネクタを装着する要領を説明するための図で、（ａ）は装着前の状態を示す側面図、（ｂ）は装着後の仮係止の状態を示す側面図である。
【図６】補機用ブラケットに第２コネクタを装着する要領を説明するための図で、（ａ）は図５の（ｂ）の状態を別の方向から見た図、（ｂ）は（ａ）のＶＩｂ−ＶＩｂ矢視部分の部分拡大断面図、（ｃ）は（ａ）のＶＩｃ矢視部の拡大図である。
【図７】補機用ブラケットのフックとパネルの開口部の周縁との位置関係を説明する図であって、（ａ）は補機用ブラケットのフックをパネルの開口部の周縁に引っ掛けた状態を示す側面図、（ｂ）は補機用ブラケットをパネルと平行な姿勢となる位置まで回動させて、第１コネクタに第２コネクタを嵌合させ、同時に補機用ブラケットと第２コネクタを本係止させた状態を示す側面図である。
【図８】第２コネクタと補機用ブラケットが仮係止した状態から、仮係止が解除されて、本係止に移行するまでの流れを示す原理図であって、（ａ）〜（ｃ）は、その一工程を示す図である。
【図９】図７（ａ）、図７（ｂ）の状態に対応した、補機用ブラケットと第２コネクタとの係止状態を図７とは別の角度から視て説明する図であって、（ａ）は補機用ブラケットと第２コネクタが仮係止しているときの状態を示す図、（ｂ）は補機用ブラケットと第２コネクタが本係止しているときの状態を示す図である。
【図１０】前記補機用ブラケットをパネルと平行な姿勢となる位置まで回動させて、補機用ブラケットを仮保持手段により第１コネクタ側に仮保持した状態を示す斜視断面図である。
【図１１】仮保持した補機用ブラケットをビスにより本固定しようとしている状態を示す側面図である。
【図１２】従来の補機用ブラケット固定構造の分解斜視図である。
【図１３】本出願人が先に考え出した補機用ブラケット固定構造における補機用ブラケット側の構成を示す斜視図である。
【図１４】同補機用ブラケットをパネルに固定するときの手順説明用の最初の段階を示す側断面図である。
【図１５】同補機用ブラケットをパネルに対し平行な姿勢となるまで回動させた状態を示す側断面図である。
【図１６】同補機用ブラケットをパネルにビス止めした状態を示す側断面図である。
【発明を実施するための形態】
【００２６】
以下、本発明の実施形態を図面を参照して説明する。
本実施形態は、本発明を、例えば、自動車の運転席または助手席のフロントウインドウ上端に設けられるサンバイザ（補機）を車体（パネル）に対してワンタッチで簡単且つ確実に装着固定できるように構成した補機用ブラケットの固定構造に適用したものである。
【００２７】
この補機用ブラケットの固定構造は、図１〜図４に示すように、パネル１およびその内側のトリム３の開口部１１、３１に配置された第１コネクタ（メスコネクタ）２と、補機支持部５１を有すると共に、パネル１およびトリム３の開口部１１、３１を覆うようにパネル１の内側からパネル１に固定される補機用ブラケット５と、この補機用ブラケット５に装着され、該補機用ブラケット５をパネル１に固定する際の動作に伴って第１コネクタ２に嵌合接続される第２コネクタ（オスコネクタ）４と、を備えて構成される。第１コネクタ２は、コネクタハウジング２０の下部に設けた固定用係止部２４によって、パネル１およびトリム３の開口部１１、３１に固定される。なお、パネル１には、開口部１１に隣接してビス止め用の孔部１２が設けられている。
【００２８】
第１コネクタ２には、実際にコネクタの役割をする第１コネクタ本体部２１が設けられている。この第１コネクタ本体部２１は、コネクタハウジング２０の該当箇所の内部に第１端子（オス端子）２８（図７）を装着することで構成されている。第２コネクタ４には、実際にコネクタの役割をする第２コネクタ本体部４１が設けられている。この第２コネクタ本体部４１は、コネクタハウジング４０の該当箇所の内部に第２端子（メス端子）４８（図７）を装着することで構成されている。第１コネクタ本体部２１の接続用開口は下向きに配され、第２コネクタ本体部４１の接続用開口は上向きに配されている。
【００２９】
補機用ブラケット５の平板状の本体部５０の一端側の上部には、図７に示すように、パネル１の開口部１１の周縁に引っ掛けることができ、その引っ掛けた箇所を回動支点にして、補機用ブラケット５をパネル１に対して斜めの姿勢（図７（ａ）参照）からパネル１に対して平行な姿勢（図７（ｂ）参照）となるまで、図中矢印Ｄのように回動できるようにする外向きＬ形のフック５２が設けられている。
【００３０】
また、フック５２と反対側の補機用ブラケット５の本体部５０の他端側には、フック５２をパネル１の開口部１１の周縁に引っ掛けて、パネル１に平行な姿勢となるまで補機用ブラケット５の本体部５０を回動させた状態で、パネル１に対して補機用ブラケット５を本固定するための本固定部としての取付孔５３ａが設けられている。取付孔５３ａは、トリム３の開口部３１に嵌合するように形成されたボス部５３に穿設されている。図１１に示すように、この取付孔５３ａにビス８を通して、パネル１側に設けたビス止め用の孔部１２にビス８を締め込むことにより、補機用ブラケット５をパネル１に本固定することができる。
【００３１】
また、図３に示すように、補機支持部５１は、フック５２とビス止め用のボス部５３との中間に配置されている。この補機支持部５１は、サンバイザを支持する固定シャフトの先端を支持する筒状の部分であり、固定シャフトが挿入される挿入孔５１ａを有している。
【００３２】
また、補機用ブラケット５と第２コネクタ４との間には、補機用ブラケット５がパネル１に対し斜めの姿勢からパネル１に対し平行な姿勢となるまで回動される際に、第２コネクタ４の挿入方向を第１コネクタ２の挿入方向に整合させるための挿入方向整合手段が設けられている。この挿入方向整合手段は、補機用ブラケット５の補機支持部５１の両側に位置して設けられた一対の係合孔５４ａ付きの係合枠部５４と、第２コネクタ４に設けられて、前記係合枠部５４の係合孔５４ａに嵌まる一対の係合ピン４２とから構成されている。そして、係合孔５４ａに係合ピン４２を係合させることにより、第２コネクタ４は補機用ブラケット５に対して回動可能に装着される。
【００３３】
また、補機用ブラケット５と第２コネクタ４との間には、補機用ブラケット５がパネル１に対し斜めの姿勢からパネル１に対し平行な姿勢となるまでの間、第２コネクタ４を補機用ブラケット５に対して、わずかに傾斜した姿勢の仮係止位置（図７（ａ）に示す位置）に係止する仮係止手段と、補機用ブラケット５がパネル１に対し平行な姿勢となるまで回動したとき、第２コネクタ４を本係止位置（図７（ｂ）に示す位置）に係止する本係止手段と、が設けられている。
【００３４】
本実施形態の場合、仮係止手段は、図６（ｂ）、（ｃ）に示すように、第２コネクタ４側に設けられた係合フック４４および補機用ブラケット５側に設けられた係合凹部５７の組と、第２コネクタ４側に設けられたロックアーム４３の係合突部４３ａおよび補機用ブラケット５側に設けられた係合凸壁５５の上端の組とで構成されている。
【００３５】
即ち、図６（ｂ）に示すように、第２コネクタ４側の係合フック４４が補機用ブラケット５側の係合凹部５７に係合することで、補機用ブラケット５が第２コネクタ４に対して下側（矢印Ｂ方向）に移動しないように係止される（図中の×印）。また、図６（ｃ）に示すように、第２コネクタ４側のロックアーム４３の係合突部４３ａが補機用ブラケット５側の係合凸壁５５の上端に当接することで、補機用ブラケット５が第２コネクタ４に対して上側（矢印Ａ方向）に移動しないように係止される（図中の×印）。これにより、補機用ブラケット５と第２コネクタ４は、相対的に上側にも下側にも移動しないように仮係止されることになる。
【００３６】
また、本係止手段は、図８および図９に示すように、第２コネクタ４側に設けられたロックアーム４３の係合突部４３ａと、補機用ブラケット５側に設けられた係合凸壁５５の係合孔５５ａの組で構成されている。即ち、図９（ａ）に示すように、係合突部４３ａが係合凸壁５５の上端に当たった仮係止の状態から、係合突部４３ａが係合凸壁５５の係止孔５５ａに嵌まることで、補機用ブラケット５と第２コネクタ４が、相対的に上側にも下側にも移動しない本係止の状態に保持される。
【００３７】
また、第１コネクタ２には、補機用ブラケット５がパネル１に対し斜めの姿勢からパネル１に対し平行な姿勢となるまで回動したとき、前記仮係止手段による仮係止の状態を解除して本係止手段による本係止の状態に移行させるための仮係止解除部（仮係止解除手段）２３が設けられている。この仮係止解除部２３は、補機用ブラケット５がパネル１に対し斜めの姿勢からパネル１に対し平行な姿勢となるまで回動したとき、ロックアーム４３の係止解除凸部４３ｂに当たって、ロックアーム４３を内側（係合解除方向）に撓ませる役目を果たす。
【００３８】
また、補機用ブラケット５と第１コネクタ２には、図１０に示すように、補機用ブラケット５をパネル１に対し平行な姿勢となるまで回動させて第１コネクタ２に対し第２コネクタ４を完全に嵌合接続させた際に、その状態で補機用ブラケット５を第１コネクタ２によって仮保持する仮保持手段が設けられている。この仮保持手段は、補機用ブラケット５側の係合凹所５６と第１コネクタ２側の係合フック部２６とから構成されている。これら補機用ブラケット５側の係合凹所５６と第１コネクタ２側の係合フック部２６が互いに係合することで、第１コネクタ２に補機用ブラケット５が直接仮保持される。
【００３９】
この第２コネクタ４が装着された補機用ブラケット５を、開口部１１に第１コネクタ２が配置されたパネル１に固定する場合は、次のように作業を行う。
【００４０】
まず、図５に示すように、第２コネクタ４の係合ピン４２を補機用ブラケット５の係合枠部５４の係合孔５４ａに係合させ、同時に、図６に示すように、第２コネクタ４側に設けられた係合フック４４を補機用ブラケット５側に設けられた係合凹部５７に係合させると共に、第２コネクタ４側に設けられたロックアーム４３の係合突部４３ａを補機用ブラケット５側に設けられた係合凸壁５５の上端に突き当てる。この状態で、第２コネクタ４が補機用ブラケット５に斜めに傾いた初期姿勢で仮保持される。
【００４１】
この状態で、図７（ａ）に示すように、フック５２の先端部を矢印Ｃで示すように、トリム３の開口部３１およびパネル１の開口部１１からパネル１の裏側まで挿入して、フック５２の曲がり部の内側を、パネル１の開口部１１の周縁に係合させる。
【００４２】
次に、この状態で補機用ブラケット５を矢印Ｄのようにパネル１側に回動させる。図８および図９に示すように、補機用ブラケット５をパネル１に対して平行となる位置まで回動させると、第１コネクタ２の仮係止解除部２３が第２コネクタ４のロックアーム４３を内側に撓ませる。そして、係合突部４３ａが補機用ブラケット５側の係止壁部５５の上端から外れて、係止孔５５ａに係合し、これにより、補機用ブラケット５に対して第２コネクタ４が本係止される。
【００４３】
この状態になったとき、図１０に示すように、補機用ブラケット５側の係合凹所５６と第１コネクタ２側の係合フック部２６が互いに係合することで、第１コネクタ２に補機用ブラケット５が直接仮保持される。従って、この状態で図１１に示すようにビス８を補機用ブラケット５の取付孔５３ａを通して、パネル１の孔部１２に締め込むことで、コネクタ２、４同士を嵌合さた状態で、補機用ブラケット５をパネル１に固定することができる。
【００４４】
以上のように、本実施形態の補機用ブラケット５の固定構造によれば、補機用ブラケット５のフック５２をパネル１の開口部１１の周縁に引っ掛け、補機用ブラケット５をパネル１に対し斜めの姿勢からパネル１に対し平行な姿勢となるまで回動させて、第２コネクタ４を第１コネクタ２に嵌合接続させた状態で、補機用ブラケット５をビス止めするとき、補機用ブラケット５を仮保持手段（係合凹所５６と係合フック部２６）によってその状態に保持しておくことができるので、ビス止め作業（本固定作業）を安定して行うことができ、補機用ブラケット５の取付作業性の向上が図れる。
【００４５】
また、仮保持手段である係合凹所５６と係合フック部２６を、第１コネクタ２と第２コネクタ４との間に設けるのではなく、第１コネクタ２と補機用ブラケット５との間に設け、補機用ブラケット５を直接第１コネクタ２によって保持するようにしているので、補機用ブラケット５の仮保持を安定して行うことができる。
【００４６】
また、本実施形態の固定構造によれば、第２コネクタ４の挿入方向を第１コネクタ２の挿入方向に整合させることができるので、コネクタ２、４同士の嵌合をスムーズに行うことができる。
【００４７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４８】
１  パネル
２  第１コネクタ
４  第２コネクタ
５  補機用ブラケット
１１  開口部
２３  仮係止解除部（仮係止解除手段）
２６  係合フック部（仮保持手段）
４２  係合ピン（挿入方向整合手段）
４３ａ  係合突部（仮係止手段、本係止手段）
４４  係合フック（仮係止手段）
５１  補機支持部
５２  フック
５３ａ  取付孔（本固定部）
５４ａ  係合孔（挿入方向整合手段）
５５  係合凸壁（仮係止手段）
５５ａ  係合孔（本係止手段）
５６  係合凹所（仮保持手段）
５７  係合凹部（仮係止手段）
【図１】
0005704748.tif 000002
【図２】
0005704748.tif 000003
【図３】
0005704748.tif 000004
【図４】
0005704748.tif 000005
【図５】
0005704748.tif 000006
【図６】
0005704748.tif 000007
【図７】
0005704748.tif 000008
【図８】
0005704748.tif 000009
【図９】
0005704748.tif 000010
【図１０】
0005704748.tif 000011
【図１１】
0005704748.tif 000012
【図１２】
0005704748.tif 000013
【図１３】
0005704748.tif 000014
【図１４】
0005704748.tif 000015
【図１５】
0005704748.tif 000016
【図１６】
0005704748.tif 000017